(57)【要約】【課題】軟便等をトップシートの表面から迅速に除去して着用者の肌から離隔することができ、軟便等の排泄を容易に視認でき軟便等の排泄後速やかに交換することが可能な吸収性物品を提供する。【解決手段】吸収体２２と、少なくとも一部が液透過性材料からなるトップシート１８と、液不透過性材料からなるバックシート２０と、を備え、吸収体２２は、下層吸収体５８Ａと、上層吸収体５６Ａと、からなり、上層吸収体５６Ａには第１貫通孔５０Ａが形成され、下層吸収体５８Ａには第２貫通孔５２Ａが形成されており、第１貫通孔５０Ａの開口部の一部と第２貫通孔５２Ａの開口部の一部とが重畳するように、第１貫通孔５０Ａと第２貫通孔５２Ａが配置されることによって、第１貫通孔５０Ａと第２貫通孔５２Ａとを相互に連通させる連通部６０Ａが形成され、バックシート２０は、その全光線透過率が３０％以上のものである吸収性物品１Ａ。【選択図】図１Ａ
2010119741.tif 000002
【特許請求の範囲】
【請求項１】
前身頃、股下部及び後身頃の各部から形成され、
吸収体と、少なくとも一部が液透過性材料からなり、前記吸収体の表面を被覆するように配置されたトップシートと、液不透過性材料からなり、前記吸収体の裏面を被覆するように配置されたバックシートと、を備え、
前記吸収体は、下層吸収体と、前記下層吸収体の表面に積層された上層吸収体と、からなり、
前記上層吸収体の前記股下部に配置される部分には、前記上層吸収体の厚さ方向に貫通する第１貫通孔が形成され、前記下層吸収体の前記股下部に配置される部分には、前記下層吸収体の厚さ方向に貫通する第２貫通孔が形成されており、
前記第１貫通孔の開口部の一部と前記第２貫通孔の開口部の一部とが重畳するように、前記第１貫通孔と前記第２貫通孔が配置されることによって、前記第１貫通孔と前記第２貫通孔とを相互に連通させる連通部が形成され、
前記バックシートは、その全光線透過率が３０％以上のものである吸収性物品。
【請求項２】
前記連通部の開口面積が、前記上層吸収体と前記下層吸収体との重畳面積に対し、０面積％超、５面積％以下となるように、前記第１貫通孔及び前記第２貫通孔が配置されている請求項１に記載の吸収性物品。
【請求項３】
前記第１貫通孔は、前記上層吸収体の幅方向中央部に１個形成されており、
前記第２貫通孔は、前記下層吸収体の前記第１貫通孔と重畳する部分の左右両側に各１個形成されており、
前記第１貫通孔の開口部の側縁部と前記第２貫通孔の開口部の側縁部が重畳するように、前記第１貫通孔と前記第２貫通孔が配置されることによって、前記連通部が形成されている請求項１又は２に記載の吸収性物品。
【請求項４】
前記第１貫通孔及び前記第２貫通孔は、その開口部形状が前記吸収体の前後方向に長辺が位置する矩形状のものである請求項１〜３のいずれか一項に記載の吸収性物品。
【請求項５】
前記第１貫通孔及び前記第２貫通孔は、その開口部形状が前記上層吸収体及び前記下層吸収体の前後方向に長軸が位置する楕円形状のものである請求項１〜３のいずれか一項に記載の吸収性物品。
【請求項６】
前記上層吸収体と前記下層吸収体との重畳面積に対し、前記第１貫通孔の総開口面積が３〜１５面積％の範囲内であり、
前記上層吸収体と前記下層吸収体との重畳面積に対し、前記第２貫通孔の総開口面積が５〜３０面積％の範囲内である請求項１〜５のいずれか一項に記載の吸収性物品。
【請求項７】
前記上層吸収体と前記下層吸収体の層間に、前記第１貫通孔の開口部と前記第２貫通孔の開口部の双方を覆うように、親水性材料からなる拡散シートが配置されている請求項１〜６のいずれか一項に記載の吸収性物品。
【請求項８】
前記拡散シートには、前記連通部を覆う部分にスリット又は孔が形成されている請求項７に記載の吸収性物品。
【請求項９】
前記トップシートには、前記第１貫通孔の開口部と重畳する部分にスリット又は孔が形成されている請求項１〜８のいずれか一項に記載の吸収性物品。
【発明の詳細な説明】
【技術分野】
【０００１】
本発明は、吸収体、トップシート及びバックシートを備え、吸収体に軟便や水様便を収容する孔が形成された吸収性物品に関するものである。
【背景技術】
【０００２】
一般に、使い捨ておむつ、尿パッド等の吸収性物品は、吸収体と、少なくとも一部が液透過性材料からなり、吸収体の表面を被覆するように配置されたトップシートと、液不透過性材料からなり、吸収体の裏面を被覆するように配置されたバックシートと、を備えている。
【０００３】
このような吸収性物品は、トップシートが着用者の肌と接するように使用され、着用者が排泄した尿はトップシートの液透過性部分を透過して吸収体に吸収・保持される。そして、吸収体の裏面側に配置された液不透過性のバックシートによって、排泄物が外部に漏洩することが防止される。
【０００４】
しかしながら、前記構造の吸収性物品は、尿の吸収・保持には適しているものの、便の処理については十分に考慮されたものではなかった。即ち、トップシートを容易に透過する尿とは異なり、便はその殆どがトップシートを透過せず、トップシート表面に残留する。従って、トップシート表面に残留した便が着用者の肌に付着し易く、便の払拭作業が煩瑣となる他、便の付着によるカブレが発生し易いという問題があった。
【０００５】
そこで、吸収性物品の一部に便を収容するスペースを形成することが提案されている。例えば、吸収体の一部に便の収容を目的とした凹部や便ポケット等が形成された使い捨て衛生吸収物品等が提案されている（例えば、特許文献１〜３参照）。また、着用者の肌とは反対側（股下部下側）に伸展する大便収容袋が取り付けられた使い捨ておむつが提案されている（例えば、特許文献４参照）。
【０００６】
【特許文献１】実開平６−５６１４号公報
【特許文献２】特開平８−１９１８５７号公報
【特許文献３】特開２００７−２１１９１号公報
【特許文献４】特開２００２−２５３６０９号公報
【発明の開示】
【発明が解決しようとする課題】
【０００７】
しかしながら、特許文献１〜４に記載の使い捨て衛生吸収物品等は、固形便の収容を念頭においたものであり、軟便や水様便（以下、「軟便等」と記す。）の吸収・保持については十分に考慮されたものではなかった。即ち、軟便等は、固形便と比較して流動性が高いという特徴がある。しかし、特許文献１〜４に記載の使い捨て衛生吸収物品等は、前記凹部が着用者の肌に対して開放されているため、軟便等が一旦前記凹部に収容されたとしても、着用者の動作等によって前記凹部から流れ出し、トップシート表面に広く拡散してしまうおそれがある。そして、軟便等は尿と比較して吸収体に吸収され難いため、軟便等が着用者の肌に長時間接触する状態になり易い。このような状態が長時間放置されれば、着用者の皮膚は刺激を受け、カブレを起こし易くなる。
【０００８】
本発明は、このような従来技術の有する問題点に鑑みてなされたものであり、軟便等を着用者の肌に長時間接触させることを回避し、軟便等に起因するカブレを有効に防止し得る吸収性物品を提供するものである。より具体的には、軟便等をトップシートの表面から迅速に除去して着用者の肌から離隔することができ、軟便等の排泄を容易に視認でき軟便等の排泄後速やかに交換することが可能な吸収性物品を提供するものである。
【課題を解決するための手段】
【０００９】
本発明者は、前記のような従来技術の課題を解決するために鋭意検討した結果、上下２層の吸収体の各々に貫通孔を形成し、両吸収体の貫通孔の一部のみを連通させて下層吸収体の貫通孔に軟便等を導くとともに、バックシートの光透過性を所定値以上として下層吸収体の貫通孔に導かれた軟便等をバックシート側から視認可能とすることによって、上記課題が解決されることに想到し、本発明を完成させた。具体的には、本発明により、以下の吸収性物品が提供される。
【００１０】
［１］  前身頃、股下部及び後身頃の各部から形成され、吸収体と、少なくとも一部が液透過性材料からなり、前記吸収体の表面を被覆するように配置されたトップシートと、液不透過性材料からなり、前記吸収体の裏面を被覆するように配置されたバックシートと、を備え、前記吸収体は、下層吸収体と、前記下層吸収体の表面に積層された上層吸収体と、からなり、前記上層吸収体の前記股下部に配置される部分には、前記上層吸収体の厚さ方向に貫通する第１貫通孔が形成され、前記下層吸収体の前記股下部に配置される部分には、前記下層吸収体の厚さ方向に貫通する第２貫通孔が形成されており、前記第１貫通孔の開口部の一部と前記第２貫通孔の開口部の一部とが重畳するように、前記第１貫通孔と前記第２貫通孔が配置されることによって、前記第１貫通孔と前記第２貫通孔とを相互に連通させる連通部が形成され、前記バックシートは、その全光線透過率が３０％以上のものである吸収性物品。
【００１１】
［２］  前記連通部の開口面積が、前記上層吸収体と前記下層吸収体との重畳面積に対し、０面積％超、５面積％以下となるように、前記第１貫通孔及び前記第２貫通孔が配置されている前記［１］に記載の吸収性物品。
【００１２】
［３］  前記第１貫通孔は、前記上層吸収体の幅方向中央部に１個形成されており、前記第２貫通孔は、前記下層吸収体の前記第１貫通孔と重畳する部分の左右両側に各１個形成されており、前記第１貫通孔の開口部の側縁部と前記第２貫通孔の開口部の側縁部が重畳するように、前記第１貫通孔と前記第２貫通孔が配置されることによって、前記連通部が形成されている前記［１］又は［２］に記載の吸収性物品。
【００１３】
［４］  前記第１貫通孔及び前記第２貫通孔は、その開口部形状が前記吸収体の前後方向に長辺が位置する矩形状のものである前記［１］〜［３］のいずれかに記載の吸収性物品。
【００１４】
［５］  前記第１貫通孔及び前記第２貫通孔は、その開口部形状が前記上層吸収体及び前記下層吸収体の前後方向に長軸が位置する楕円形状のものである前記［１］〜［３］のいずれかに記載の吸収性物品。
【００１５】
［６］  前記上層吸収体と前記下層吸収体との重畳面積に対し、前記第１貫通孔の総開口面積が３〜１５面積％の範囲内であり、前記上層吸収体と前記下層吸収体との重畳面積に対し、前記第２貫通孔の総開口面積が５〜３０面積％の範囲内である前記［１］〜［５］のいずれかに記載の吸収性物品。
【００１６】
［７］  前記上層吸収体と前記下層吸収体の層間に、前記第１貫通孔の開口部と前記第２貫通孔の開口部の双方を覆うように、親水性材料からなる拡散シートが配置されている前記［１］〜［６］のいずれかに記載の吸収性物品。
【００１７】
［８］  前記拡散シートには、前記連通部を覆う部分にスリット又は孔が形成されている前記［７］に記載の吸収性物品。
【００１８】
［９］  前記トップシートには、前記第１貫通孔の開口部と重畳する部分にスリット又は孔が形成されている前記［１］〜［８］のいずれかに記載の吸収性物品。
【発明の効果】
【００１９】
本発明の吸収性物品は、軟便等を着用者の肌に長時間接触させることを回避し、軟便等に起因するカブレを有効に防止することができる。より具体的には、軟便等をトップシートの表面から迅速に除去して着用者の肌から離隔することができ、軟便等の排泄を容易に視認でき軟便等の排泄後速やかに交換することが可能である。
【発明を実施するための最良の形態】
【００２０】
以下、本発明の吸収性物品を実施するための最良の形態について、テープ型使い捨ておむつの例により具体的に説明する。但し、本発明はその発明特定事項を備える吸収性物品（例えば、パンツ型使い捨ておむつ、尿パッド等）を広く包含するものであり、以下の実施形態に限定されるものではない。
【００２１】
［１］定義等：
「テープ型使い捨ておむつ」とは、図１Ａ及び図１Ｂに示す吸収性物品１Ａのように、吸収体２２と、トップシート１８と、バックシート２０とを備え、後身頃６の左右の各側縁６ａ，６ｂから延出するように配置された、前身頃２と後身頃６とを固定するための止着テープ１１を更に備えた使い捨ておむつを意味するものとする。
【００２２】
「前身頃」とは、図１Ａに示すように、着用者に装着した際に、着用者の腹側（身体前方）を覆う部分（図中符号２）、「股下部」とは、着用者に装着した際に、着用者の股下を覆う部分（図中符号４）、「後身頃」とは、着用者に装着した際に、着用者の背側（身体後方）を覆う部分（図中符号６）を意味するものとする。
【００２３】
［２］本発明の実施形態：
本発明の吸収性物品は、図１Ａ及び図１Ｂに示す吸収性物品１Ａのように、吸収体２２が、下層吸収体５８Ａと、下層吸収体５８Ａの表面に積層された上層吸収体５６Ａと、からなり、上層吸収体５６Ａの股下部４に配置される部分には、上層吸収体５６Ａの厚さ方向に貫通する第１貫通孔５０Ａが形成され、下層吸収体５８Ａの股下部４に配置される部分には、下層吸収体５８Ａの厚さ方向に貫通する第２貫通孔５２Ａが形成されており、第１貫通孔５０Ａの開口部の一部と第２貫通孔５２Ａの開口部の一部とが重畳するように、第１貫通孔５０Ａと第２貫通孔５２Ａが配置されることによって、第１貫通孔５０Ａと第２貫通孔５２Ａとを相互に連通させる連通部が形成され、バックシート２０の全光線透過率が３０％以上の吸収性物品である。
【００２４】
吸収性物品１Ａのように、上層吸収体５６Ａに第１貫通孔５０Ａを形成することで、第１貫通孔５０Ａの形成部位においてトップシート１８の裏面と吸収体２２（具体的には上層吸収体５６Ａ）の表面に当接しない状態となる。従って、トップシートの裏面と吸収体の表面とが当接している場合と比較して、軟便等がトップシート１８を通過し易くなる。
【００２５】
また、第１貫通孔５０Ａと第２貫通孔５２Ａとを相互に連通させる連通部６０Ａを形成することで、軟便等は第１貫通孔５０Ａを経由して、着用者の肌から遠い位置にある第２貫通孔５２Ａに導かれる。従って、軟便等をトップシート１８の表面から迅速に除去して着用者の肌から離隔することができる。
【００２６】
そして、第１貫通孔５０Ａの開口部の一部と第２貫通孔５２Ａの開口部の一部とが重畳するように配置することで、連通部６０Ａの開口面積は第１貫通孔５０Ａの開口面積及び第２貫通孔５２Ａの開口面積のいずれよりも小さく保たれる。従って、第２貫通孔５２Ａの開口部の全てが着用者の肌に対して開放されることはなく、一旦、第２貫通孔５２Ａに収容された軟便等が再び流れ出し、トップシート１８表面に広く拡散してしまう事態を有効に防止することができる。
【００２７】
更に、バックシート２０は、全光線透過率が３０％以上の光透過性が高いものであるため、第２貫通孔５２Ａに導かれた軟便等を吸収性物品１Ａの外部から容易に視認することができる。従って、軟便等の排泄を容易に視認でき、軟便等の排泄後速やかに吸収性物品を交換することが可能となる。これにより、着用者の肌に軟便等が接触する時間を更に短縮することができる。
【００２８】
［２−１］吸収体の構成：
本発明の吸収性物品は、図１Ａ及び図１Ｂに示すように、下層吸収体５８Ａと、下層吸収体５８Ａの表面に積層された上層吸収体５６Ａとからなる２層構造の吸収体２２を備えている。
【００２９】
上層吸収体及び下層吸収体は２層構造とする必要から、両吸収体を積層した際に、通常の吸収体と同等の厚さとなるような厚さとすることが好ましい。通常の吸収性物品における吸収体は、厚さ２〜１０ｍｍ程度であるから、各吸収体の厚さを１〜８ｍｍとすることが好ましい。なお、上層吸収体と下層吸収体の厚さは必ずしも同じである必要はなく、厚さが異なっていてもよい。
【００３０】
［２−２］貫通孔の構成：
上層吸収体５６Ａの股下部４に配置される部分には、上層吸収体５６Ａの厚さ方向に貫通する第１貫通孔５０Ａが形成され、下層吸収体５８Ａの股下部４に配置される部分には、下層吸収体５８Ａの厚さ方向に貫通する第２貫通孔５２Ａが形成されている。
【００３１】
第１貫通孔又は第２貫通孔のサイズは特に限定されない。但し、上層吸収体５６Ａと下層吸収体５８Ａとの重畳面積に対し、第１貫通孔の総開口面積が３〜１５面積％の範囲内であり、第２貫通孔５２Ａの総開口面積が５〜３０面積％の範囲内であることが好ましい。
【００３２】
第１貫通孔の総開口面積が３面積％未満であると、開口面積が小さ過ぎて、軟便等が第１貫通孔に流入し難くなり、第１貫通孔周縁の吸収体表面に軟便等が拡散してしまうという不具合を生ずる場合がある。一方、第１貫通孔の総開口面積が１５面積％を超えると、開口面積が大き過ぎて、第１貫通孔の内部に軟便等が残留するという不具合を生ずる場合がある。また、第２貫通孔の総開口面積が５面積％未満であると、開口面積が小さ過ぎて、第２貫通孔に導かれた軟便等を外部から視認し難くなるという不具合を生ずる場合がある。一方、第２貫通孔の開口面積が３０面積％を超えると、吸収体に占める第２貫通孔の容積が大きくなるため、吸収体の体積が小さくなってしまう。従って、尿や軟便等の吸収量が低下するという不具合を生ずる場合がある。軟便等を確実に収容するという観点から、上記範囲を満たした上で、第１貫通孔の開口面積（即ち、容積）よりも第２貫通孔の総開口面積（即ち、容積）が大きいことが好ましい。
【００３３】
なお、「上層吸収体と下層吸収体との重畳面積」とは、吸収体を上部から透視的に観察した場合に、上層吸収体と下層吸収体とが重畳している部分の面積を意味する。また、「貫通孔の総開口面積」とは、第１貫通孔又は第２貫通孔が複数形成されている場合においては、それらの開口面積の総和を意味するものとする。
【００３４】
第１貫通孔５０Ａは、上層吸収体５６Ａのうち、吸収性物品の股下部４に配置される部分に形成される。そして、軟便等の流入を容易にするため、上層吸収体５６Ａの幅方向中央部（即ち、着用者の肛門が当接する部分）に形成することが好ましい。第１貫通孔５０Ａの数も限定されないが、上層吸収体５６Ａの幅方向中央部（即ち、着用者の肛門が当接する部分）に１個形成することが好ましい。
【００３５】
前記のように、第１貫通孔が１個形成されている場合、下層吸収体には、第１貫通孔と重畳する部分の左右両側に各１個形成されていることが好ましい。このような形態は、第１貫通孔の両側に第２貫通孔が位置していることで、軟便等が第１貫通孔から第２貫通孔に流入し易い。また、下層吸収体の第２貫通孔に流入した軟便等を吸収性物品の外部から視認する際に、左右どちらからでも視認することができるため好ましい。
【００３６】
第１貫通孔５０Ａ及び第２貫通孔５２Ａの開口部形状としては、例えば、吸収体２２の前後方向に長辺が位置する矩形状であることが好ましい。
【００３７】
図１Ａに示す吸収性物品１Ａは、第１貫通孔５０Ａと第２貫通孔５２Ａの前後方向長さ（矩形長辺の長さ）を同一としているが、図２Ａに示す吸収性物品１Ｂのように、第１貫通孔５０Ｂと第２貫通孔５２Ｂの前後方向長さ（矩形長辺の長さ）を異なるものとしてもよい。図２Ａに示す吸収性物品１Ｂは、第１貫通孔５０Ｂに対して第２貫通孔５２Ｂを前方に長く形成した例である。
【００３８】
また、図３Ａに示す吸収性物品１Ｃのように、第１貫通孔５０Ｃ及び第２貫通孔５２Ｃを、その開口部形状が上層吸収体５６Ｃ及び下層吸収体５８Ｃの前後方向に長軸が位置する楕円形状に形成することも好ましい。
【００３９】
本発明の吸収性物品は、第１貫通孔の開口部の一部と前記第２貫通孔の開口部の一部とが重畳するように、第１貫通孔と第２貫通孔が配置されることによって、第１貫通孔と第２貫通孔とを相互に連通させる連通部が形成されている。例えば、図１Ａ及び図１Ｂに示す吸収性物品１Ａは、第１貫通孔５０Ａの開口部の側縁部と第２貫通孔５２Ａの開口部の側縁部が重畳するように、第１貫通孔５０Ａと第２貫通孔５２Ａが配置されることによって、連通部６０Ａが形成されている例である。
【００４０】
第１貫通孔と第２貫通孔をこのような配置とすることで第１貫通孔に流入した軟便等を第２貫通孔に導くことができ、本発明の効果を得ることができる。一方、第１貫通孔と第２貫通孔とが重畳しない配置とすると、第１貫通孔から第２貫通孔への軟便等の移行が遅滞し、第１貫通孔に残留した軟便等が着用者の肌に付着するおそれがある。また、第１貫通孔と第２貫通孔の全部が重畳する配置とすると、特許文献１〜４に記載の使い捨て衛生吸収物品等と同様に、第２貫通孔が着用者の肌に対して大きく開放された構造となり、一旦第２貫通孔に収容された軟便等が、着用者の動作等によって第２貫通孔から流れ出し、トップシート表面に広く拡散してしまうおそれがある。そのような観点から、連通部の開口面積は、連通される第１貫通孔の開口面積に対して、５０面積％以下であることが好ましく、４０面積％以下であることが更に好ましい。
【００４１】
［２−３］拡散シートの付設：
本発明においては、図３Ａ及び図３Ｂに示す吸収性物品１Ｃのように、上層吸収体５６Ｃと下層吸収体５８Ｃの層間に、第１貫通孔５０Ｃの開口部と第２貫通孔５２Ｃの開口部の双方を覆うように、親水性材料からなる拡散シート５４が配置されていることが好ましい。
【００４２】
この拡散シートは、軟便等の拡散を目的として配置されるシート材である。吸収体とトップシートとの間に、尿等の一時的な貯留及び尿等の拡散を目的として、親水性シートを配置することがあるが（拡散シート、セカンドシート、トランスファーシート等とも称される。）、これと同様の効果を奏するものである。
【００４３】
拡散シートを付設すると、第１貫通孔と第２貫通孔との連通部の開口面積が小さい場合であっても、第１貫通孔５０Ｃに流入した軟便等が拡散シート５４中に拡散し、速やかに下層吸収体５８Ｃ及び第２貫通孔５２Ｃに導かれるという効果がある。
【００４４】
拡散シートとしては、後述するトップシートと類似の材料、例えば、不織布シートを好適に用いることができる。中でも、スパンボンド、カードエンボス、スパンレース、ＳＭＳ等の嵩が低い不織布を好適に用いることができる。嵩が低い不織布を用いることにより、軟便等がシートの表面を流れ易くなり、良好な拡散効果を得ることができる。なお、「嵩が低い」とは、シートの坪量が３０ｇ／ｍ２以下、荷重２ｋＰａで押圧した際のシート厚さが０．８ｍｍ以下であることを意味する。中でも、坪量が１０〜２０ｇ／ｍ２、荷重２ｋＰａ押圧時の厚さが０．１〜０．５ｍｍのシートを用いることが好ましい。
【００４５】
拡散シートは、トップシートと同様、不織布シートに界面活性剤による親水化処理等を施すことにより得ることができる。そして、拡散シートは、トップシートと比較して液透過性が同等又は高いシートにより構成されていることが好ましい。液透過性が低すぎると拡散シートを構成する繊維内の拡散性が低くなり、拡散効果を発揮させ難くなるからである。
【００４６】
なお、ここに言う「液透過性」は、以下の方法により評価した透過時間を基準に判断するものとする。（１）円筒状容器（中空部内径１０ｃｍ）の開口端部を塞ぐように、前記円筒状容器に対して評価対象のシートを固定する。（２）前記シートの表面に、７ｍｌ／秒の速度で１０ｍｌの生理食塩水を滴下する。（３）前記生理食塩水を、前記シートを透過させて前記円筒状容器の中空部に自然落下させる。この際、滴下開始から前記生理食塩水がシート表面からなくなるまでの透過時間を測定する。
【００４７】
拡散シートは、図３Ｂに示すように、上層吸収体５６Ｃと下層吸収体５８Ｃの層間に、挟み込まれるように配置されていればよい。配置範囲は、図３Ａに示すように、第１貫通孔５０Ｃの開口部（下端開口部）と第２貫通孔５２Ｃの開口部（上端開口部）の双方を覆うように配置されていればよく、上層吸収体５６Ｃと下層吸収体５８Ｃの層間全体に挟み込まれている必要はない。即ち、吸収体２２を上部から透視的に観察した場合に、第１貫通孔５０Ｃと第２貫通孔５２Ｃの双方をカバーする範囲に、拡散シート５４が配置されていればよい。
【００４８】
図４Ａ及び図４Ｂは、図２Ａ〜図２Ｃに示す吸収性物品１Ｂの構造において拡散シート５４を付設した場合の例を示す一部切り欠き概略平面図である。本発明の吸収性物品は、図４Ａ又は図４Ｂに示すように、拡散シート５４の連通部６０Ｂを覆う部分にスリット６４又は孔６２が形成されていることが好ましい。
【００４９】
このような構成では、上層吸収体５６Ｂの第１貫通孔５０Ｂに流入した軟便等がスリット６４や孔６２を通過して下層吸収体５８Ｂの第２貫通孔５２Ｂに流入するため、より速やかに軟便等を第２貫通孔５２Ｂに導くことができる。また、連通部は拡散シートのスリットや孔以外の部分によって覆われているため、軟便等が一旦、第２貫通孔に流入した後は第１貫通孔に逆戻りし難い。更に、第２貫通孔の開口面積が大きい場合でも、孔やスリットから軟便等を第２貫通孔に落下させつつ、拡散シートの面方向に沿って軟便等を拡散させることができる。即ち、拡散シートにスリットや孔を形成することで、拡散シートの面方向への拡散と、第２貫通孔への軟便等の落とし込みのバランスをとることが可能となる。
【００５０】
スリットや孔の形状は特に限定されるものではない。例えば、スリットであれば、幅０．１〜１ｍｍ、長さ５〜１０ｍｍのスリットを１〜１０個形成することが好ましい。孔であれば、２〜８ｍｍφの円孔を１〜５個形成することが好ましい。
【００５１】
なお、スリットや孔は、連通部を覆う部分に形成されている限り、他の部分にも形成されていてもよい。例えば、図４Ａ及び図４Ｂに示す拡散シート５４は、連通部６０Ｂを覆う部分を含む拡散シート５４全体にスリット６４又は孔６２が形成されている例である。
【００５２】
［２−４］バックシートの全光線透過率：
本発明の吸収性物品においては、バックシートの全光線透過率を３０％以上とする。こうすることにより、第２貫通孔に流入した軟便等の排泄を容易に視認でき、軟便等の排泄後速やかに吸収性物品を交換することが可能となる。従って、軟便等が着用者の肌と接触し得る時間を更に短縮することができ、軟便等に起因するカブレを効果的に抑制することができる。
【００５３】
「全光線透過率」とは、ＪＩＳ  Ｋ  ７３６１−１（プラスチック−透明材料の全光線透過率の試験方法−第一部：シングルビーム法）に準拠した測定法により測定された値を意味する。なお、図１Ｂに示す吸収性物品１Ａのように、バックシート２０の外表面側にカバーシート２４を貼り合わせている場合には、「バックシートの全光線透過率」は、バックシートとカバーシートを貼り合わせた部材の全光線透過率を意味するものとする。
【００５４】
バックシートの中には、透湿性向上を目的として微小孔が多数形成され、全光線透過率が低いポリフィルムを用いているものがある。このようなバックシートの場合、一部の微小孔を透明樹脂で埋めると、光の散乱がなくなり透明性が向上する。
【００５５】
例えば、スチレン−ジエンブロック共重合体又はその水素添加誘導体５〜９０質量％、粘着付与剤５〜９０質量％及び可塑剤５〜５０質量％を含むホットメルト樹脂等を好適に用いることができる。この場合の「粘着付与剤」としては、石油樹脂、水素添加石油樹脂、ロジン系樹脂、水素添加ロジン系樹脂、テルペン系樹脂、水素添加テルペン系樹脂、クマロン・インデン樹脂、スチレン系樹脂等を用いることができる。「可塑剤」としては、パラフィン系オイル、ナフテン系オイル、芳香族系オイル等を用いることができる。
【００５６】
また、図１Ｂに示す吸収性物品１Ａのように、バックシート２０の外表面側にカバーシート２４を貼り合わせる場合には、カバーシート２４の全光線透過率も考慮する必要がある。カバーシートは不織布等により構成されることが多いため、このカバーシートにカレンダー処理を施すことで、カバーシートの全光線透過率を向上させることができる。
【００５７】
［２−５］トップシートへのスリット等の形成：
本発明の吸収性物品のトップシートには、第１貫通孔の開口部と重畳する部分にスリット又は孔が形成されていることが好ましい。このような構成では、トップシート表面に滞留する軟便等がスリットや孔を通過して上層吸収体の第１貫通孔に流入するため、より速やかに軟便等を第１貫通孔に導くことができる。
【００５８】
スリットや孔の形状は特に限定されるものではないが、拡散シートに形成するスリットや孔と同様の構成を採用することができる。
【００５９】
なお、吸収性物品が、上層吸収体と下層吸収体との層間に拡散シートを備えている場合には、トップシートにスリット等を形成し、更に拡散シートにもスリット等を形成することが好ましい。このような形態は、トップシートのスリット等と、拡散シートのスリット等の相乗効果により、軟便等を一層速やかに第２貫通孔に導くことができる。
【００６０】
［４］吸収性物品の他の構成部材：
本発明の吸収性物品は、図１Ａ及び図１Ｂに示す吸収性物品１Ａのように、前身頃２、股下部４及び後身頃６の各部から形成され、吸収体２２と、少なくとも一部が液透過性材料からなり、吸収体２２の表面を被覆するように配置されたトップシート１８と、液不透過性材料からなり、吸収体２２の裏面を被覆するように配置されたバックシート２０と、を備えるものである。
【００６１】
［４−１］吸収体：
「吸収体」は、着用者の尿等を吸収し、保持するための部材であり、吸収性材料によって構成される。
【００６２】
「吸収性材料」としては、例えば、フラッフパルプ、高吸水性ポリマー（Ｓｕｐｅｒ  
Ａｂｓｏｒｂｅｎｔ  Ｐｏｌｙｍｅｒ；以下、「ＳＡＰ」と記す。）、親水性シート等を挙げることができる。「フラッフパルプ」としては、木材パルプや非木材パルプを綿状に解繊したものを、「ＳＡＰ」としては、ポリアクリル酸ナトリウムを、「親水性シート」としては、ティシュ、吸収紙、親水化処理を行った不織布等を用いることが好ましい。
【００６３】
吸収体は、１種又は２種以上の吸収性材料を単層又は複層のマット状に成形したものを用いることが好ましい。中でも、フラッフパルプ１００質量部に対して、１０〜５００質量部のＳＡＰを併用したものが好ましい。中でも、フラッフパルプ１００質量部に対して、４０〜８０質量部のＳＡＰを併用したＳＡＰ比率が高い吸収体を用いた場合に、本発明の効果が発揮される。この際、ＳＡＰはフラッフパルプのマット中に混在させるか、フラッフパルプのマットの層間に層状に配置して用いればよい。
【００６４】
吸収体は、矩形状、砂時計型、ひょうたん型、Ｔ字型等、所望の形状に成形して用いることができる。吸収体は、ＳＡＰの脱落を防止し、形状安定性を付与するという目的から、親水性シートによって被包されていることが好ましい。通常、吸収体はトップシートとバックシートの間に挟みこまれ、両シートと一体化された状態で用いられる。
【００６５】
［４−２］トップシート：
トップシートは、着用者の尿等を透過させる必要から、その少なくとも一部（全部又は一部）が液透過性材料により構成される。
【００６６】
「液透過性材料」としては、織布、不織布、多孔性フィルム等を挙げることができる。中でも、ポリプロピレン、ポリエチレン、ポリエステル、脂肪族ポリアミド等の熱可塑性樹脂からなる不織布に親水化処理を施したものを用いることが好ましい。
【００６７】
「不織布」としては、エアスルー（カード熱風）、カードエンボス等の製法によって製造された不織布を好適に用いることができる。「親水化処理」は、界面活性剤を塗布、スプレー、含浸等させることにより行うことができる。
【００６８】
トップシートは、「少なくとも一部」、具体的には、トップシートを平面的に見た場合に、少なくとも吸収体の表面近傍は液透過性材料により構成されていることが好ましい。
【００６９】
なお、吸収性物品の着用者の肌側に位置するシートが全てトップシートによって構成されている必要はない。即ち、着用者の肌と接するシートが、トップシートを含む複数のシートによって構成され、トップシートと他のシートがシートの表面方向に向かって継ぎ合わされたような構造となっていてもよい。
【００７０】
例えば、図１Ａ及び図１Ｂに示す吸収性物品１Ａは、おむつの幅方向中央部には液透過性材料からなるトップシート１８を配置し、おむつのサイドフラップ９部分には液の透過に対して抵抗性を示す通気撥水性材料からなるサイドシート１９を配置した例である。通気撥水性シートとしては、カードエンボス、スパンボンド等の製法により製造された不織布であってもよいが、防水性の高いＳＭＳ、ＳＭＭＳ等の不織布シートが更に好ましい。
【００７１】
［４−３］バックシート：
バックシートは、吸収体の裏面（おむつの装着時において着用者の肌から遠い側に位置する面）を被覆するように配置されるシートである。バックシートは、着用者の尿がおむつ外部に漏洩してしまうことを防止する必要から、液不透過性材料によって構成される。
【００７２】
バックシートの配置位置については特に制限はない。吸収体で吸収された尿の漏れを防止するという観点から、少なくとも吸収体の存在する部分にバックシートが配置されていることが好ましい。
【００７３】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００７４】
なお、図１Ｂに示すように、バックシート２０の外表面側にカバーシート２４を貼り合わせてもよい。このカバーシートは、バックシートを補強し、バックシートの手触り（触感）を良好なものとするために用いられる。
【００７５】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【００７６】
［４−４］立体ギャザー：
本発明の吸収性物品は、撥水性シートからなり、吸収体の両側に配置された少なくとも一対の立体ギャザーを備えていることが好ましい。
【００７７】
立体ギャザーの構成は、従来の使い捨ておむつ、その他の吸収性物品に使用される構成を採用することができる。例えば、図１Ｂに示す吸収性物品１Ａのように、撥水性シート３２の層間に伸縮材（立体ギャザー伸縮材３６）を挟み込んで固定し、その立体ギャザー伸縮材３６の収縮力によってギャザー（襞）を形成したもの等を好適に用いることができる。これらの例では、撥水性シート３２の折り返し部分に立体ギャザー伸縮材３６を挟み込んで固定した例である。
【００７８】
なお、立体ギャザーは、前記のように立体ギャザー用の撥水性シートを別途付設してもよいし、おむつを構成するシート材の一部によって形成してもよい。例えば、図１Ｂに示す吸収性物品１Ａは、サイドシート１９を構成する撥水性シート３２の一部によって立体ギャザー２６ａ，２６ｂを形成した例である。撥水性シートは、カードエンボス、スパンボンド等の製法により製造された不織布であってもよいが、防水性の高いＳＭＳ、ＳＭＭＳ等の不織布シートが更に好ましい。
【００７９】
［４−５］止着テープ：
本発明の吸収性物品は、図１Ａに示すように、後身頃６の左右の各側縁６ａ，６ｂから延出するように配置された、前身頃２と後身頃６とを固定するための止着テープ１１を備えていてもよい。
【００８０】
止着テープのファスニング部材としては、粘着剤により固定を行う粘着ファスナーであってもよいが、機械的な結合により固定を行うメカニカルファスナー（面状ファスナー）
を用いることが好ましい。メカニカルファスナーは、止着力が高いことに加え、複数回の脱着を行っても止着力が低下することがないという利点がある。
【００８１】
例えば、図１Ａに示す吸収性物品１Ａは、ファスニング部材として、メカニカルファスナー４６を用いた例である。止着テープ１１の先端近傍には、フック材４６ａが付設される一方、前身頃２には、ループ材４６ｂからなるフロントパッチ１３が付設されており、フロントパッチ１３に対して、止着テープ１１を止め付けることが可能なように構成されている。
【００８２】
止着テープの数は特に限定されず、着用者の体型（具体的には、ウエスト周り、脚周り等）の寸法に合わせて、適当な数の止着テープを付設すればよい。一般的には、乳幼児用の使い捨ておむつであれば一対（左右１個ずつ）、成人用の使い捨ておむつであれば二対（左右２個ずつ）が付設される。
【００８３】
［４−６］各種伸縮材：
本発明の吸収性物品が使い捨ておむつである場合は、脚周り伸縮材を配置し、ウエスト周り伸縮材を配置することが好ましい。
【００８４】
脚周り伸縮材は、脚周り開口部に沿って配置される伸縮材である。この脚周り伸縮材を配置することによって、脚周り開口部に伸縮性に富むギャザー（レグギャザー）を形成することができる。従って、脚周りに隙間が形成され難くなり、脚周り開口部からの尿漏れを効果的に防止することができる。
【００８５】
例えば、図１Ａに示す吸収性物品１Ａは、テープ型使い捨ておむつであり、おむつの長手方向に沿って、直線的に三本の脚周り伸縮材４０を配置してレグギャザーを形成した例である。この脚周り伸縮材４０は、糸ゴムや平ゴムによって構成される。
【００８６】
脚周り伸縮材は、例えば、図１Ａに示す吸収性物品１Ａのように、立体ギャザー２６の起立線より外側の部分に、脚周り伸縮材４０が形成されていることが好ましい。このような構成とすると、立体ギャザーの十分な防漏効果を確保しつつ、股下部の装用感・装着感を向上させることができる。
【００８７】
ウエスト周り伸縮材は、ウエスト周り開口部に沿って配置される伸縮材である。ウエスト周り伸縮材を配置することによって、ウエスト開口部に伸縮性に富むギャザー（ウエストギャザー）を形成することができる。このウエストギャザーにより、ウエスト周りに隙間が形成され難くなり、ウエスト周りからの尿漏れを防止することができる他、着用者へのおむつのフィット性が良好となり、おむつのずり下がりが防止される。
【００８８】
例えば、図１Ａ及び図１Ｂに示す吸収性物品１Ａは、おむつの後身頃６の端縁に沿って帯状のウエスト周り伸縮材４２を配置した例である。この帯状のウエスト周り伸縮材４２は、ウレタンフォーム等の伸縮性フォームによって構成されている。図示の例では、後身頃（背側）のみにウエスト周り伸縮材４２を配置しているが、前身頃（腹側）にウエスト周り伸縮材を配置してもよい。
【００８９】
パンツ型使い捨ておむつでは、腹回り伸縮材が付設される場合がある。腹周り伸縮材は、ウエスト周り開口部と脚周り開口部との間の部分（即ち、着用者の腹周りに相当する部分）に配置される伸縮材である。腹周り伸縮材を配置することによって、着用者の腹周りに伸縮性に富むタミーギャザーを形成することができる。このタミーギャザーは、ウエストギャザーと相俟って、おむつのフィット性やずり下がり防止効果を一層優れたものとすることができる。
【００９０】
これらの伸縮材については、ギャザーの収縮の程度等を勘案した上で、構成材料、その材料の伸長率、固定時の伸長状態等を決定すればよい。
【００９１】
伸縮材としては、従来の使い捨ておむつで使用されてきた伸縮材を好適に用いることができる。具体的には、天然ゴムからなる平ゴムや合成ゴム（ウレタンゴム等）の弾性糸からなる糸ゴムの他、伸縮性ネット、伸縮性フィルム、伸縮性フォーム（ウレタンフォーム等）等を挙げることができる。
【００９２】
伸縮材は、十分な伸縮力を作用させるため、伸長状態で固定することが好ましい。例えば、伸縮材が天然ゴムからなる平ゴムや合成ゴムの弾性糸からなる糸ゴムである場合には、１２０〜４００％の伸長状態で固定することが好ましく、２００〜３００％の伸長状態で固定することがより好ましい。このような範囲の伸長状態で固定することにより、着用者に対して過度の締め付け力を作用させることなく、十分な伸縮力を作用させることが可能となる。
【００９３】
前記のような伸縮材は、おむつの他の構成部材に対して、接着剤その他の手段により固定される。固定方法としては、例えば、ホットメルト接着剤、その他の流動性の高い接着剤を用いた接着であってもよいし、ヒートシールをはじめとする熱や超音波等による溶着であってもよい。
【００９４】
［４−６］適用対象：
なお、本発明の吸収性物品は、テープ型使い捨ておむつの他、パンツ型使い捨ておむつ、尿パッドにも適用することができる。
【００９５】
「パンツ型使い捨ておむつ」とは、前身頃と後身頃の対応する側縁同士を接合することによって、一つのウエスト周り開口部及び一対の脚周り開口部１２が形成され、予めパンツ型に構成された使い捨ておむつを意味するものとする。
【００９６】
中でも、トップシートとバックシートとの層間に吸収体が内包され、パッド状に形成された吸収性本体と、一つのウエスト周り開口部及び一対の脚周り開口部が形成されたパンツ型を呈する外装シートとを備え、外装シートの内側に吸収性本体１４が配置・固定された形態を「２ピースタイプ」と称することがある。
【００９７】
「尿パッド」とは、インナーパッド、補助パッドとも称され、専ら尿吸収を目的とする吸収パッドである。この尿パッドは、下着の内面や使い捨ておむつのトップシートの表面に載置した状態で用いられる。尿パッドは、使い捨ておむつと同様に、吸収体と、吸収体の表面を被覆するように配置されたトップシートと、吸収体の裏面を被覆するように配置されたバックシートとを備えるが、着用者の腰周りを被包する部分を持たない小型のパッド状に構成されることが一般的である。
【実施例】
【００９８】
本発明の吸収性物品について、図面を参照しながら更に具体的に説明する。但し、本発明の吸収性物品は、その発明特定事項を備えた吸収性物品を全て包含するものであり、以下の実施例に限定されるものではない。
【００９９】
〔実施例１〕
実施例１の吸収性物品として、テープ型使い捨ておむつを作製した。具体的な構造は、図１Ａ及び図１Ｂに示す吸収性物品１Ａの構造とした。この吸収性物品１Ａは、乳児用Ｌサイズのものであり、前後方向長さを４８５ｍｍ、後身頃６の幅（側縁６ａ，６ｂ間の長さ）を３２５ｍｍとした。
【０１００】
［１−１］吸収体の構成：
吸収性物品１Ａは、吸収体として２層構造の吸収体２２を用いた。この吸収体２２は、下層吸収体５８Ａ（幅１００ｍｍ×長さ３９５ｍｍ×厚さ２ｍｍ）と、その表面に積層された上層吸収体５６Ａ（幅１００ｍｍ×長さ３９５ｍｍ×厚さ２ｍｍ）とからなるものであった。上層吸収体５６Ａ、下層吸収体５８Ａとも、フラッフパルプ１００質量部に対して、８５質量部のＳＡＰを併用した。上層吸収体５６Ａ、下層吸収体５８Ａはホットメルト接着剤により相互に固着させた。
【０１０１】
［１−２］貫通孔の構成：
上層吸収体５６Ａの股下部４に配置される部分には、上層吸収体５６Ａの厚さ方向に貫通する第１貫通孔５０Ａを形成し、下層吸収体５８Ａの股下部４に配置される部分には、下層吸収体５８Ａの厚さ方向に貫通する第２貫通孔５２Ａを形成した。
【０１０２】
第１貫通孔５０Ａは、開口部形状が上層吸収体５６Ａの前後方向に長辺が位置する矩形状（幅３０ｍｍ×長さ７０ｍｍ）の貫通孔とした。第２貫通孔５２Ａも、開口部形状が下層吸収体５８Ａの前後方向に長辺が位置する矩形状（幅３０ｍｍ×長さ７０ｍｍ）の貫通孔とした。上層吸収体５６Ａと下層吸収体５８Ａとの重畳面積（３９５００ｍｍ２）に対し、第１貫通孔５０Ａの開口面積（２１００ｍｍ２）は５．３面積％、第２貫通孔５２Ａの総開口面積（５．３ｍｍ２×２）は１０．６面積％であった。
【０１０３】
第１貫通孔５０Ａは、上層吸収体５６Ａのうち、吸収性物品１Ａの股下部４に配置される部分に形成した。また、上層吸収体５６Ａの幅方向中央部（即ち、着用者の肛門が当接する部分）に１個形成した。具体的には、第１貫通孔５０Ａの前端が上層吸収体５６Ａの前端から１８０ｍｍに位置するように第１貫通孔５０Ａを形成した。
【０１０４】
第２貫通孔５２Ａは、下層吸収体５８Ａのうち、吸収性物品１Ａの股下部４に配置される部分に形成した。そして、下層吸収体５８Ａの第１貫通孔５０Ａと重畳する部分の左右両側に各１個形成した。具体的には、第２貫通孔５２Ａの前後端を第１貫通孔５０Ａの前後端と一致させ、第１貫通孔５０Ａの開口部の側縁部と第２貫通孔５２Ａの開口部の側縁部が幅５ｍｍの範囲で重畳するように、第１貫通孔５０Ａと第２貫通孔５２Ａを配置し、連通部６０Ａを形成した。連通部６０Ａの開口面積は、第１貫通孔５０Ａの開口面積に対して、３３．３面積％であった。
【０１０５】
［１−３］バックシートの全光線透過率：
吸収性物品１Ａにおいては、バックシートの全光線透過率を４５％とした。吸収性物品１Ａは、バックシート２０の表面がカバーシート２４によって被覆されているため、バックシート２０にカバーシート２４を貼り合わせた状態における全光線透過率を測定した。全光線透過率の測定は、ＪＩＳ  Ｋ  ７３６１−１（プラスチック−透明材料の全光線透過率の試験方法−第一部：シングルビーム法）に準拠した測定法により行った。
【０１０６】
バックシート２０としては、微小孔が多数形成されたポリフィルムを用いた。このポリフィルムに、スチレン−ジエンブロック共重合体の水素添加誘導体２０質量％、粘着付与剤（石油樹脂）５０質量％及び可塑剤（パラフィン系オイル）３０質量％を含むホットメルト樹脂を塗工して全光線透過率を向上させた。
【０１０７】
カバーシート２４としては、坪量１８ｇ／ｍ２のスパンポンド不織布からなる不織布シートを用いた。この不織布シートにカレンダー処理を施すことで、カバーシートの全光線透過率を向上させた。
【０１０８】
〔２〕実施例２：
実施例２の吸収性物品として、テープ型使い捨ておむつを作製した。第２貫通孔の形状を除いては、実施例１の吸収性物品と同様に作製した。具体的な構造は、図２Ａ及び図２Ｂに示す吸収性物品１Ｂの構造とした。
【０１０９】
第２貫通孔５２Ｂは、開口部形状が下層吸収体５８Ｂの前後方向に長辺が位置する矩形状（幅２５ｍｍ×長さ１００ｍｍ）の貫通孔とした。上層吸収体５６Ｂと下層吸収体５８Ｂとの重畳面積（３９５００ｍｍ２）に対し、第２貫通孔５２Ｂの総開口面積（２５００ｍｍ２×２）は１２．７面積％であった。
【０１１０】
第２貫通孔５２Ｂは、下層吸収体５８Ｂのうち、吸収性物品１Ｂの股下部４に配置される部分に２個形成した。下層吸収体５８Ｂには、第１貫通孔５０Ｂと重畳する部分の左右両側に各１個形成した。具体的には、第２貫通孔５２Ｂの前後端を第１貫通孔５０Ｂの後端と一致させ、第１貫通孔５０Ｂの開口部の側縁部と第２貫通孔５２Ｂの開口部の側縁部が幅６ｍｍの範囲で重畳するように、第１貫通孔５０Ｂと第２貫通孔５２Ｂを配置し、連通部６０Ｂを形成した。連通部６０Ｂの開口面積は、第１貫通孔５０Ｂの開口面積に対して、４０面積％であった。
【０１１１】
〔３〕実施例３：
実施例３の吸収性物品として、テープ型使い捨ておむつを作製した。第１貫通孔、第２貫通孔の形状及び拡散シートを付設したこと除いては、実施例１の吸収性物品と同様に作製した。具体的な構造は、図３Ａ及び図３Ｂに示す吸収性物品１Ｃの構造とした。
【０１１２】
第１貫通孔５０Ｃは、開口部形状が上層吸収体５６Ｃ及び下層吸収体５８Ｃの前後方向に長軸が位置する楕円形状（幅３０ｍｍ×長さ９０ｍｍ）の貫通孔とした。第２貫通孔５２Ｃも、開口部形状が上層吸収体５６Ｃ及び下層吸収体５８Ｃの前後方向に長軸が位置する楕円形状（幅２０ｍｍ×長さ７０ｍｍ）の貫通孔とした。上層吸収体５６Ｃと下層吸収体５８Ｃとの重畳面積（３９５００ｍｍ２）に対し、第１貫通孔５０Ｃの開口面積（２１２０ｍｍ２）は５．４面積％、第２貫通孔５２Ｃの総開口面積（１０９９ｍｍ２×２）は５．５面積％であった。
【０１１３】
第１貫通孔５０Ｃは、上層吸収体５６Ｃのうち、吸収性物品１Ｃの股下部４に配置される部分に形成した。また、上層吸収体５６Ｃの幅方向中央部（即ち、着用者の肛門が当接する部分）に１個形成した。具体的には、第１貫通孔５０Ｃの前端が上層吸収体５６Ｃの前端から１９０ｍｍに位置するように第１貫通孔５０Ｃを形成した。
【０１１４】
第２貫通孔５２Ｃは、下層吸収体５８Ｃのうち、吸収性物品１Ｃの股下部４に配置される部分に２個形成した。下層吸収体５８Ｃには、第１貫通孔５０Ｃと重畳する部分の左右両側に各１個形成した。具体的には、第２貫通孔５２Ｃの前端を第１貫通孔５０Ｃの前端から１０ｍｍ後方に位置させ、第１貫通孔５０Ｃの開口部の側縁部と第２貫通孔５２Ｃの開口部の側縁部が最大幅５ｍｍで重畳するように、第１貫通孔５０Ｃと第２貫通孔５２Ｃを配置し、連通部６０Ｃを形成した。連通部６０Ｃの開口面積は、第１貫通孔５０Ｃの開口面積に対して、１５面積％であった。
【０１１５】
上層吸収体５６Ｃと下層吸収体５８Ｃの層間には、第１貫通孔５０Ｃの開口部と第２貫通孔５２Ｃの開口部の双方を覆うように、親水性材料からなる拡散シート５４を配置した。この拡散シート５４は、幅７０ｍｍ×長さ１００ｍｍのサイズで、坪量１８ｇ／ｍ２、荷重２ｋＰａ押圧時の厚さが０．２５ｍｍのカードエンボス不織布からなるシートを用いた。
【産業上の利用可能性】
【０１１６】
本発明の吸収性物品は、乳幼児用又は介護を必要とする高齢者や障害者等の成人用の使い捨ておむつ、尿パッド等の吸収性物品に利用することができる。
【図面の簡単な説明】
【０１１７】
【図１Ａ】本発明の吸収性物品を展開し、トップシート側から見た状態を示す概略平面図である。
【図１Ｂ】図１Ａに示す吸収性物品のＡ−Ａ’断面を模式的に示す概略断面図である。
【図２Ａ】本発明の吸収性物品の別の実施形態を示す概略平面図であり、吸収性物品を展開し、トップシート側から見た状態を示す図である。
【図２Ｂ】図２Ａに示す吸収性物品のＡ−Ａ’断面を模式的に示す概略断面図である。
【図３Ａ】本発明の吸収性物品の更に別の実施形態を示す概略平面図であり、吸収性物品を展開し、トップシート側から見た状態を示す図である。
【図３Ｂ】図３Ａに示す吸収性物品のＡ−Ａ’断面を模式的に示す概略断面図である。
【図４Ａ】本発明の吸収性物品の更にまた別の実施形態を示す一部切り欠き概略平面図である。
【図４Ｂ】本発明の吸収性物品の別の実施形態を示す一部切り欠き概略平面図である。
【符号の説明】
【０１１８】
１Ａ，１Ｂ，１Ｃ：吸収性物品、２：前身頃、２ａ，２ｂ：側縁、４：股下部、６：後身頃、６ａ，６ｂ：側縁、１１：止着テープ、１３：フロントパッチ、１８：トップシート、１９：サイドシート、２０：バックシート、２２：吸収体、２４：カバーシート、２６，２６ａ，２６ｂ：立体ギャザー、３２：撥水性シート、３６：立体ギャザー伸縮材、４０：脚周り伸縮材、４２：ウエスト周り伸縮材、４６：メカニカルファスナー、４６ａ：フック材、４６ｂ：ループ材、５０Ａ，５０Ｂ，５０Ｃ：第１貫通孔、５２Ａ，５２Ｂ，５２Ｃ：第２貫通孔、５４：親水性シート、５６Ａ，５６Ｂ，５６Ｃ：上層吸収体、５８Ａ，５８Ｂ，５８Ｃ：下層吸収体、６０Ａ，６０Ｂ，６０Ｃ：連通部、６２：孔、６４：スリット。
【図１Ａ】
2010119741.tif 000003
【図１Ｂ】
2010119741.tif 000004
【図２Ａ】
2010119741.tif 000005
【図２Ｂ】
2010119741.tif 000006
【図３Ａ】
2010119741.tif 000007
【図３Ｂ】
2010119741.tif 000008
【図４Ａ】
2010119741.tif 000009
【図４Ｂ】
2010119741.tif 000010